(57)【要約】【課題】積層構造を有する外装体を用いて効果的に対衝撃性の向上を図るようにした撮像装置を提供する。【解決手段】外装本体１０、保護部材２０および化粧板４０を積層構造とし、各部材に加えられた衝撃を、弾性部材３０の第１挟持部５６や第２挟持部によって吸収し、変形・損傷を受けることを最小限に抑える。また、保護部材２０や化粧板４０と外装本体１０との間に、空間部５０ａ、５０ｂを設け、弾性部材３０で吸収しきれない衝撃が加えられた場合には、この空間に向けて変形し、他の構成部材に衝撃が伝わることがない。【選択図】  図３
2008178003.tif 000002
【特許請求の範囲】
【請求項１】
内部構造を覆う外装本体と、
上記外装本体の主面を略覆い、板状に形成された化粧板と、
上記外装本体と、上記化粧板との間に挟持された弾性部材と、
を具備することを特徴とする撮像装置。
【請求項２】
上記外装本体の周囲の稜線部を覆うように配され、略枠状に形成された保護部材を具備し、
上記弾性部材は、上記外装本体と上記化粧板との間に挟持される第１の挟持部と、上記保護部材と上記化粧板との間に挟持される第２の挟持部と、
を有することを特徴とする請求項１に記載の撮像装置。
【請求項３】
上記保護部材もしくは上記化粧板は、弾性変形可能なように上記外装部材に対し空間をもって配される弾性変形部を有することを特徴とする請求項２に記載の撮像装置。
【請求項４】
上記外装本体と上記内部構造体の間に配された緩衝部材を有することを特徴とする請求項１に記載の撮像装置。
【請求項５】
少なくとも２つの面を有する外装本体と、
この外装本体の１面を覆う第１の外装体と、
上記外装本体の少なくとも他の面を覆う第２の外装体と、
上記第１の外装体の受ける衝撃を吸収する第１の挟持部と、上記第２の外装体の受ける衝撃を吸収する第２の挟持部とを有する弾性部材と、
を具備することを特徴とする撮像装置。
【請求項６】
上記弾性部材の上記第１の挟持部と上記第２の挟持部の境目は曲げられていることを特徴とする請求項５に記載の撮像装置。
【請求項７】
上記第１の外装体と、上記第２の外装体と、上記弾性部材と、上記外装本体はネジ止めにより結合されることを特徴とする請求項５に記載の撮像装置。
【請求項８】
上記第２の外装体は、衝撃を受けた際に摺動可能に固定されていることを特徴とする請求項５に記載の撮像装置。
【発明の詳細な説明】
【技術分野】
【０００１】
本発明は、撮像装置に関し、詳しくは内部構造を覆う外装体を有する撮像装置に関する。
【背景技術】
【０００２】
カメラ等の撮像装置は、携帯して持ち運ぶことが多いことから、落下したり、何かにぶつけたりする虞がある。このため対衝撃性の向上を図る必要があり、従来より、種々の提案がなされている。また、撮像装置の外観の美観を向上するために、アルミやステンレスといった金属を用いた化粧板等によって外観を施すことも知られている。
【０００３】
例えば、特許文献１には、内部構造体と、これを覆う外装本体の間に弾性部材を配置し、この弾性部材を介して内部構造体を外装本体に固着することにより、外部衝撃力を和らげることが開示されている。また、特許文献２には、カメラの構造ユニットを覆う外装部材を備え、この外装部材は構造ユニットの重心に近い領域を覆うようにして、落下による破損を防止することが開示されている。さらに、特許文献３には、樹脂製のインナーカバーと、このインナーカバーの表面を覆う金属製のカバーとからなる積層構造の外装構造とすることにより、金属製の高級感のある外装を行うことが開示されている。
【特許文献１】特開平７−２８１５３号公報
【特許文献２】特開２００５−８４６３６号公報
【特許文献３】特開平７−４３８１０号公報
【発明の開示】
【発明が解決しようとする課題】
【０００４】
対衝撃性を向上させたカメラとしては、前述した如く、種々の構成が知られている。しかしながら、積層構造を有する外装体において、その積層構造における対衝撃性の向上については、提案されていない。すなわち、特許文献１および特許文献２に開示されているカメラは、外装体と内部構造体の間における対衝撃性の向上を図ることはできるが、外装体自身の対衝撃性の向上については何等記載されていない。したがって、カメラが衝撃を受けると、内部構造体自身は衝撃の影響を少なくすることはできるが、外装自身は衝撃を受けてしまい、破損してしまう虞がある。また、特許文献３に開示されているカメラでは、積層構造の外装構造は示されているが、この外装構造の対衝撃性の向上については、何等示されていない。
【０００５】
本発明は、このような事情を鑑みてなされたものであり、積層構造を有する外装体を用いて効果的に対衝撃性の向上を図るようにした撮像装置を提供することを目的とする。
【課題を解決するための手段】
【０００６】
上記目的を達成するため第１の発明に係わる撮像装置は、内部構造を覆う外装本体と、上記外装本体の主面を略覆い、板状に形成された化粧板と、上記外装本体と、上記化粧板との間に挟装された弾性部材を具備する。
【０００７】
また、第２の発明に係わる撮像装置は、上記第１の発明において、上記外装本体の周囲の稜線部を覆うように配され、略枠状に形成された保護部材を具備し、上記弾性部材は、上記外装本体と上記化粧板との間に挟持される第１の挟持部と、上記保護部材と上記化粧板との間に挟持される第２の挟持部を有する。
さらに、第３の発明に係わる撮像装置は、上記第２の発明において、上記保護部材もしくは上記化粧板は、弾性変形可能なように上記外装部材に対し空間をもって配される弾性変形部を有する。
さらに、第４の発明に係わる撮像装置は、上記第１の発明において、上記外装本体と上記内部構造体の間に配された緩衝部材を有する。
【０００８】
上記目的を達成するため第５の発明に係わる撮像装置は、少なくとも２つの面を有する外装本体と、この外装本体の１面を覆う第１の外装体と、上記外装本体の少なくとも他の面を覆う第２の外装体と、上記第１の外装体の受ける衝撃を吸収する第１の挟持部と、上記第２の外装体の受ける衝撃を吸収する第２の挟持部とを有する弾性部材を具備する。
また、第６の発明に係わる撮像装置は、上記第５の発明において、上記弾性部材の上記第１の挟持部と上記第２の挟持部の境目は曲げられている。
さらに、第７の発明に係わる撮像装置は、上記第５の発明において、上記第１の外装体と、上記第２の外装体と、上記弾性部材と、上記外装本体はネジ止めにより結合される。
さらに、第８の発明に係わる撮像装置は、上記第５の発明において、上記第２の外装体は、衝撃を受けた際に摺動可能に固定されている。
【発明の効果】
【０００９】
本発明によれば、積層構造を有する外装体を用いて効果的に対衝撃性の向上を図った撮像装置を提供することができる。
【発明を実施するための最良の形態】
【００１０】
以下、図面に従って本発明を適用したデジタルカメラを用いて好ましい実施形態について説明する。このデジタルカメラの主面側には、金属製の化粧板が設けられており、この化粧板と、保護部材とモールド製の外装本体から外装体が構成され、デジタルカメラは外装体と内部構造体とから構成されている。
【００１１】
図１は、本発明の第１実施形態に係るデジタルカメラ１の主面２からみた、外装体の分解斜視図である。デジタルカメラ１の主面２は、カメラを全体的に見た場合、主要な面であり、カメラの外観上、広い範囲にわたって形成された面とする。本実施形態においては、レンズ鏡筒４（図２、図３参照）の撮影レンズが露呈するカメラ正面が対応する。
【００１２】
外装本体１０はポリカーボネードやＡＢＳ等の樹脂製であり、その内部には、内部構造体が配置されている。内部構造体内には、ストロボユニット３やレンズ鏡筒４が配置されている。外装本体１０の周囲の稜線部１６の内側は、段部に続いて一段落ち込み平坦面１１となっている。この平坦面１１の上側にはストロボ孔１２とレンズ鏡筒孔１３が設けられており、ストロボ孔１２からはストロボ照射光が通過し、またレンズ鏡筒孔１３は被写体光が通過可能となっている。
【００１３】
平坦面１１の左上隅、左下隅、右下隅の３箇所には、それぞれネジ孔１４ａ，１４ｂ，１４ｃが設けられている。これらのネジ孔は後述する化粧板４０を外装本体１０に固定するためのネジ５１ａ、５１ｂ、５１ｃの受け部である。また、左上隅と右下隅に配置されたネジ孔１４ａ、１４ｃの近傍には、位置決めボス１５ａ、１５ｃが植設されている。この位置決めボス１５は、後述する保護部材２０の位置決め用部材である。
【００１４】
外装本体１０の稜線部１６の周辺を覆うように、ステンレスやアルミ等の金属製の保護部材２０が配設されている。この保護部材２０の主面２側の周囲は段部２４となっており、この段部２４より外装本体１０側に一段落ち込んで面２５が設けられている。後述する図３に示されるように、上側の段部２４は緩やかな斜面で形成され、一方、下側では段部２４は平坦面で形成されている。
【００１５】
面２５の内側は孔２１となっており、また、面２５の左上隅、左下隅および右下隅には、ネジ孔５１ａ、５１ｂ、５１ｃが貫通する貫通孔２２ａ、２２ｂ、２２ｃが設けられている。左上隅の貫通孔２２ａと右下隅の貫通孔２２ｃの近傍には、位置決めボス１５ａ、１５ｃが挿通される位置決め孔２３ａ、２３ｃが設けられている。なお、位置決め孔２３ｃは、回転止めとして機能するため、長円形もしくは楕円形となっている。
【００１６】
保護部材２０の外側には弾性材料で構成された弾性部材３０が配置されている。弾性部材３０の周囲は段部３４となっており、この段部３４の内側は一段落ち込んで面３５が設けられている。段部３４の左側の一部は突起し、指掛け部３７となっている。面３５の左上隅、左下隅、右下隅には、ネジ５１ａ、５１ｂ、５１ｃが貫通する貫通孔３２ａ、３２ｂ、３２ｃが設けられている。また、左上隅の貫通孔３２ａと右下隅の貫通孔３２ｃの近傍には、位置決めボス１５ａ、１５ｃが挿通される貫通孔３３ａ、３３ｃが設けられている。
【００１７】
弾性部材３０の段部３４の内側に嵌まり込むように、ステンレスやアルミ等の金属製の平板からなら化粧板４０が配置されている。化粧板４０の上側付近でストロボ孔１２と対向する位置にストロボ孔４１が設けられ、レンズ鏡筒孔１３に対向する位置にレンズ鏡筒孔４２が設けられている。また、化粧板４０の左上隅にはネジ５１ａをネジ孔１４ａにネジ止めするための貫通孔４３ａが設けられている。同様に、左下隅にはネジ５１ｂのネジ止め用の貫通孔４３ｂ、右下隅にはネジ５１ｃのネジ止め用の貫通孔４３ｃが設けられている。
【００１８】
次に、本実施形態における撮像装置の外装体の組み立て後の状態について、図２および図３に示す断面図を用いて説明する。図２に示す断面図は、図１のＢ−Ｂ断面図であり、図３に示す断面図は図１のＡ−Ａ断面図である。
【００１９】
レンズ鏡筒４やストロボユニット３を内蔵する内部構造と、外装本体１０の間には、緩衝部材５３（図３参照）が配置されている。そして外装本体１０の前側の部材と後ろ側の部材の隙間には、防水ゴム１７が配置され、防水構造となっている。また、外装本体１０のストロボ孔１２にはストロボ窓１８が水密に固着されており、また、レンズ鏡筒孔１３には保護ガラス１９が水密に固着されている。外装本体１０と保護ガラス１９の前側には、回動自在にレンズバリア５が配置されており、レンズ鏡筒４の撮影レンズを覆う位置と、露呈させる位置に回動可能となっている。
【００２０】
外装本体１０、保護部材２０、弾性部材３０および化粧板４０は、ネジ５１ａ、５１ｂ、５１ｃによって一体化されている。すなわち、保護部材２０の貫通孔２２ａと、弾性部材３０の貫通孔３２ａと、化粧板４０の貫通孔４３ａに、ネジ５１ａが差し込まれ、そして、このネジ５１ａと外装本体１０のネジ孔１４ａが螺合する。同様にして、ネジ５１ｂとネジ孔１４ｂが螺合し、ネジ５１ｃとネジ孔１４ｃが螺合する。また、位置決めボス１５ａ、１５ｃが保護部材２０の位置決め孔２３ａ、２３ｃに嵌合し、保護部材２０の外装本体１０に対する位置決めがなされている。
【００２１】
保護部材２０の段部２４と外装本体１０の稜線部１６との間は、図３に示すように、空間部５５ａとなっている。また、弾性部材３０は、化粧板４０の平板部分と保護部材２０によって挟持されている部分（第１の挟持部５６）と、化粧板４０の端面と保護部材２０の段部２４の屈曲部によって挟持されている部分（第２の挟持部５７）とがある。弾性部材３０の第２の挟持部５７は第１の挟持部５６から化粧板４０側に突出して形成されており、言い換えると、第２の挟持部５７は化粧板４０と保護部材３０の間の隙間に収納されている。また、第１の挟持部５６は、化粧板４０の週端部に対応する位置に形成されているので、化粧板４０の中央部と外装本体４０との間には、空間部５５ｂが形成される。
【００２２】
このように、本発明の第１実施形態の外装体は、外装本体１０、保護部材２０、弾性部材３０、化粧板４０の積層構造となっており、ネジ５１ａ、５１ｂ、５１ｃによって一体化されている。このため、外装体に衝撃が加えられた場合には、外装体を構成する各部材は弾性部材３０によって、その衝撃が和らげられ吸収されるので、変形や損傷を最小限に抑えることができる。
【００２３】
すなわち、デジタルカメラ１の縦方向に衝撃Ｆ１が加えられた場合には、衝撃力は保護部材２０を下側に摺動させようとするが、弾性部材３０の第２の挟持部５７（ネジ５１ａの近傍）によって吸収される。衝撃Ｆ１と反対方向に衝撃Ｆ２が加えられた場合には、衝撃力は保護部材２０を上側に摺動させよとするが、第２の挟持部５７（ネジ５１ｂの近傍）によって吸収される。
【００２４】
また、化粧板４０と直交する方向に衝撃Ｆ３が加えられた場合には、衝撃力は化粧板４０を紙面右側に摺動させようとするが、弾性部材３０の第１の挟持部５６によって吸収される。
【００２５】
なお、衝撃Ｆ１、Ｆ２が極めて強いと、第２の挟持部５７で、その衝撃力を吸収しきれない場合がある。この場合には、空間部５５ａが設けられているので、保護部材２０の段部２４は空間部５５ａに向けて変形し、他の構成部材に衝撃を及ぼすことはない。同様に、衝撃Ｆ３が極めて強いと、第１の挟持部５６で、その衝撃力を吸収しきれない場合がある。この場合には、空間部５５ｂがあるので、化粧板４０は空間部５５ｂに向けて変形し、他の構成部材に衝撃を及ぼすことはない。保護部材２０または化粧板４０が衝撃によって変形した場合には、その部材のみを交換すればよい。また、本実施形態においては、外装本体１０にて防水ゴム１７を押圧して防水構造としている。そして、外装本体１０と保護部材２０、化粧板４０との間で衝撃を吸収する構成としている。従って、保護部材２０または化粧板４０に加わった衝撃により、防水構造部に悪影響を与える虞がない。
【００２６】
以上、説明したように、本発明の第１実施形態においては、外装本体１０、保護部材２０および化粧板４０を積層構造とし、各部材に加えられた衝撃を弾性部材３０によって吸収するよう構成している。このため、外装体を構成する各部材に衝撃が加えられても、弾性部材３０によって吸収されるので、変形・損傷を受けることが最小限に抑えられる。
【００２７】
また、本実施形態においては、外装本体１０に対して保護部材２０の位置決めを位置決めボス１５ａ、１５ｃによって行うようにしている。このため、外装本体１０と保護部材２０の位置が決まり、外観上の見栄えが良いという効果を奏する。
【００２８】
次に、本発明の第２実施形態について、図４を用いて説明する。第１実施形態においては、保護部材２０は位置決めボス１５ａ、１５ｃによって位置決めされていたために、衝撃力Ｆ１、Ｆ２が印加された場合に、保護部材２０自身が摺動することにより、衝撃力Ｆ１、Ｆ２を逃がすことができなかった。第２実施形態においては、位置決めボス１５ａ、１５ｃは保護部材２０に対しては位置決めを行わず、衝撃が加わった場合には、保護部材２０自身が摺動可能となっている。
【００２９】
図１に示した外装体の分解斜視図に対応する第２実施形態は、第１実施形態とは一部異なっているが、僅かな差のみである。すなわち、第１実施形態においては、保護部材２０の位置決め孔２３ａ、２３ｃは位置決めボス１５ａ、１５ｃと略同径であったが、第２実施形態においては、位置決め孔２３ａ、２３ｃは位置決め機能はなく、単に位置決めボス１５ａ、１５ｃが貫通するだけの逃げ孔であれば良い。また、第１実施形態においては、弾性部材３０の貫通孔３３ａ、３３ｃは位置決めボス１５ａ、１５ｃが単に貫通するだけの逃げ孔でよかったが、第２実施形態においては、位置決め機能を果たしていることから位置決めボス１５ａ、１５ｃと略同径とする。これ以外は、図１に関しては、第１実施形態と第２実施形態は同様であるので、図面は省略する。
【００３０】
外装体の断面構造は、図４に示すように、保護部材２０には位置決めボス１５ａが挿通される貫通孔２６ａを設け、弾性部材３０には位置決めボス１５ａによって位置決めされる位置決め孔３８ａを設ける。弾性部材３０と外装本体１０との位置決めがなされ、弾性部材３０と保護部材２０は、その接触面で位置決めされることから、外装本体１０と保護部材２０との位置決めがなされる。なお、図３に示す第１実施形態と同様の部材については、同一の符号を付し、詳細な説明は省略する。
【００３１】
本発明の第２実施形態は、上述の如く構成されているために、保護部材２０に衝撃Ｆ１、Ｆ２が加えられた場合には、第２の挟持部５７によって衝撃を吸収すると共に、貫通孔２６ａによる隙間を利用して、弾性部材３０が摺動することによっても衝撃を吸収することができる。このため、第１実施形態の場合に比べて、さらに大きな衝撃が加わっても、保護部材２０が変形・損傷することなく、吸収することができるという効果を奏する。
【００３２】
以上、説明したように、本発明の各実施形態においては、外装本体１０、保護部材２０および化粧板４０を積層構造とし、各部材に加えられた衝撃を弾性部材３０によって吸収するよう構成している。このため、外装体を構成する各部材に衝撃が加えられても、弾性部材３０によって吸収されるので、変形・損傷を受けることが最小限に抑えられる。
【００３３】
また、各実施形態においては、弾性部材３０が第１の挟持部５６と第２の挟持部５７を有するようにしているので、主面２に対して、直交する方向でも、主面２と平行な方向であっても、衝撃を吸収することができる。
【００３４】
さらに、各実施形態においては、保護部材２０や化粧板４０と外装本体１０との間に、空間部５５ａ、５５ｂを設けるようにしたので、弾性部材３０によって吸収しきれない衝撃が加えられた場合には、この空間に向けて変形し、他の構成部材に衝撃が伝わることがない。
【００３５】
さらに、内部構造体と外装体の間には、複数の緩衝部材５３を配置されているので、外装体から内部構造体に衝撃力が伝わることがない。このため、内部構造体内の重要なカメラ要素が損傷する虞がない。したがって、外部から衝撃が加えられた場合には、弾性部材３０の第１の挟持部５６もしくは第２の挟持部５７によって、衝撃力が吸収され、それを超える極めて強い衝撃の場合には、外装体を構成する部材（保護部材２０、化粧板４０）が損傷するだけで済む。
【００３６】
さらに、外装本体１０をモールドで構成し、保護部材２０や化粧板４０をステンレスやアルミ等の金属で構成することにより、凹凸や曲面のある細かな形状を形成すると共に、金属光沢により高級感ある外観とすることができる。
【００３７】
なお、本発明の実施形態においては、外装体は外装本体１０、保護部材２０と化粧板４０の積層構造であったが、積層構造を構成する部材の数は、本実施形態より多くても少なくても勿論構わない。また、弾性部材３０はネジ５１ａ〜５１ｃの周辺、３箇所で衝撃の吸収機能は果たしていたが、これよりも多くても少なくても勿論構わない。さらに、ネジ５１ａ、５１ｂ、５１ｃによって、化粧板４０や保護部材２０や弾性部材３０を外装本体１０に止めていたが、固定方法はこれに限らず、種々の方法をとることができる。
【００３８】
本発明の実施形態の説明にあたって、一般的なコンパクトタイプのデジタルカメラを例に挙げたが、これに限らず、デジタル一眼レフカメラ、携帯電話等の電子機器に内蔵されるカメラ等、種々の撮像装置に適用できることは勿論である。
【図面の簡単な説明】
【００３９】
【図１】本発明の第１実施形態に係わるデジタルカメラの外装体の分解外観斜視図である。
【図２】本発明の第１実施形態におけるデジタルカメラの図１のＢ−Ｂ断面図である。
【図３】本発明の第１実施形態におけるデジタルカメラの図１のＡ−Ａ断面図である。
【図４】本発明の第２実施形態におけるデジタルカメラの図１のＡ−Ａ断面図に対応する断面図である。
【符号の説明】
【００４０】
１・・・デジタルカメラ、２・・・主面、３・・・ストロボユニット、４・・・レンズ鏡筒、５・・・レンズバリア、１０・・・外装本体、１１・・・平坦面、１２・・・ストロボ孔、１３・・・レンズ鏡筒孔、１４ａ・１４ｂ・１４ｃ・・・ネジ孔、１５ａ・１５ｃ・・・位置決めボス、１６・・・稜線部、１７・・・防水ゴム、１８・・・ストロボ窓、１９・・・保護ガラス、２０・・・保護部材、２１・・・孔、２２ａ・２２ｂ・２２ｃ・・・貫通孔、２３ａ・２３ｃ・・・位置決め孔、２４・・・段部、２５・・・面、２６ａ・・・貫通孔、３０・・・弾性部材、３１・・・孔、３２ａ・３２ｂ・３２ｃ・・・貫通孔、３３ａ・３３ｃ・・・貫通孔、３４・・・段部、３５・・・面、３７・・・指掛け部、３８ａ・・・位置決め孔、４０・・・化粧板、４１・・・ストロボ孔、４２・・・レンズ鏡筒孔、４３ａ・４３ｂ・４３ｃ・・・貫通孔、５１ａ・５１ｂ・５１ｃ・・・ネジ、５３・・・緩衝部材、５５ａ・５５ｂ・・・空間部、５６・・・第１挟持部、５７・・・第２挟持部
【図１】
2008178003.tif 000003
【図２】
2008178003.tif 000004
【図３】
2008178003.tif 000005
【図４】
2008178003.tif 000006